(57)【要約】【課題】誰が写っている画像なのかが把握しやすくするコンピュータ装置、画像処理プログラム、及び印刷システムを提供する。【解決手段】デジタルカメラ４とパソコン５とをＵＳＢケーブルで接続してデジタルカメラ４に装着された記録メディアに記録された撮影画像をパソコン５に保存する。パソコン５に組み込まれた画像処理プログラムを起動させ、インデックス表示モードが選択されると画像表示部１２には撮影画像から抽出された顔画像が表示される。画像表示部１２には顔画像の他に識別番号や顔画像が撮影画像全体に占める割合を示す顔サイズ等が表示される。メニューからインデックスプリントが選択されると、顔画像を基に形成された印刷データがプリンタ６に送信され、印刷データが入力されたプリンタ６は印刷用紙に撮影画像から抽出された顔画像が複数並ぶように印刷する。【選択図】        図１
2006042035.tif 000002
【特許請求の範囲】
【請求項１】
撮影で取得した撮影画像を記録メディアから読み出して画像表示部に表示するコンピュータ装置において、
前記撮影画像から顔部分を検出する検出手段と、
前記検出手段によって検出された顔部分を予め定められた画像サイズで抽出する抽出手段と、
前記抽出手段で抽出された顔画像を前記画像表示部に複数並べて表示する表示制御手段とを有することを特徴とするコンピュータ装置。
【請求項２】
前記抽出手段によって抽出された顔画像が印刷用シート上で複数並ぶように印刷するための印刷データを生成する印刷データ生成手段を設けたことを特徴とする請求項１記載のコンピュータ装置。
【請求項３】
前記印刷データ生成手段は、前記顔画像の基になった撮影画像に割り振られた識別番号と、前記撮影画像の印刷を注文する際にチェックマークを記入するための記入欄とがそれぞれの前記顔画像とともに前記印刷用シート上に印刷されるように印刷データを生成することを特徴とする請求項２記載のコンピュータ装置。
【請求項４】
前記表示制御手段は、前記顔画像の前記撮影画像全体に占める割合を示すシンボルを前記顔画像とともに前記画像表示部に表示することを特徴とする請求項１ないし３いずれか１つ記載のコンピュータ装置。
【請求項５】
撮影で取得された撮影画像を記録メディアから読み出してコンピュータ装置に備えられた画像表示部に表示する画像処理プログラムにおいて、
前記撮影画像から顔部分を検出する検出処理と、
前記検出処理によって検出された顔部分を予め定められた画像サイズで抽出する抽出処理と、
前記抽出処理によって抽出された顔画像を前記画像表示部に複数並べて表示する表示制御処理と、を前記コンピュータ装置に実行させることを特徴とする画像処理プログラム。
【請求項６】
前記コンピュータ装置には印刷データに基づいて印刷用シートに画像を印刷するプリンタが接続されており、
前記抽出処理で抽出された顔画像が前記プリンタによって印刷シートに複数並べて印刷されるように印刷データを生成する印刷データ生成処理を前記コンピュータ装置に実行させることを特徴とする請求項５記載の画像処理プログラム。
【請求項７】
撮影で取得した撮影画像を基にして印刷データを形成するコンピュータ装置と、前記コンピュータ装置から入力される印刷データに基づいて印刷用シートに画像を印刷するプリンタとを有し、
前記コンピュータ装置に、撮影画像から顔部分を検出する検出手段と、前記検出手段で検出された顔部分を予め定められた画像サイズで抽出する抽出手段と、前記抽出手段によって抽出された複数の顔画像を基にして印刷データを生成する印刷データ生成手段とを設け、
前記プリンタは前記コンピュータ装置から入力される印刷データを基にして、前記顔画像を印刷用シート上に複数並べて印刷することを特徴とする印刷システム。
【発明の詳細な説明】
【技術分野】
【０００１】
本発明は、撮影画像を基に形成された印刷データをプリンタに送信するコンピュータ装置、画像処理プログラム、及び印刷システムに関するものである。
【背景技術】
【０００２】
近年、デジタルカメラ等の撮影装置が急速に普及している。撮影装置には画像信号を出力する撮像素子が備えられ、この撮像素子から出力される画像信号を基に被写体の画像データを形成し、画像データは撮影装置に装着された記録メディアにＤＣＦ（Design rule for Camera File system）等のファイル形式に従って記録される。記録メディアに記録された画像データは、記録メディアをカードリーダに装着する、あるいは撮影装置を直接コンピュータ装置に接続することでコンピュータ装置に読み出することが可能となる。撮影画像がコンピュータ装置に接続されたプリンタで印刷される場合には、撮影画像を基に形成された印刷データがコンピュータ装置からプリンタに送信され、プリンタは印刷データに応じて撮影画像を印刷用シートに印刷する。
【０００３】
コンピュータ装置には液晶ディスプレイ等の画像表示部が備えられ、画像表示部に撮影画像を表示する機能を有する画像処理プログラムを利用することで撮影画像を画像表示部に表示することができ、利便性を高めるために撮影画像を一様に圧縮処理して画像表示部に複数並べて表示する機能を有する画像処理プログラムもある。撮影画像を圧縮処理して画像表示部に複数並べて表示すると、一目でどんな画像を撮影したかを把握できるという利点がある。レンズ付きフイルムユニットでは、写真フイルム内の全ての撮影画像が印刷されたインデックスプリントシートが現像の依頼者に渡される。例えば、写真フイルムの現像を店に依頼すると、写真フイルムに記録された複数の画像が縮小されて１枚の記録シート上に並べてプリントされたインデックスプリントシートが付属してくる。インデックスプリントシートには記録された全ての画像が一枚のシート上にプリントされているために撮影内容を一目で把握することが可能となり、インデックスプリントシートを見ることで焼増しする画像を選択しやすくなっていた。特に、特許文献１に記載された発明では、インデックスプリントシート本体に焼増し注文用のシートを設けて、焼増し注文の際の利便性を高めたインデックスプリントシートが示されている。
【０００４】
【特許文献１】特開平７−２３９５４４号公報
【発明の開示】
【発明が解決しようとする課題】
【０００５】
しかしながら、コンピュータ装置に組み込まれた画像処理プログラムによって撮影で取得した画像を圧縮処理して画像表示部に複数並べる場合、撮影画像を一定の画素ごとに間引き処理するため、画像に顔が含まれていた場合にはこの顔も間引き処理されてしまい、このためにコンピュータ装置の画像表示部に表示された画像を見ても誰が写っている画像なのかを識別することができない場合があった。
【０００６】
本発明は上記の事情に鑑みてなされたものであり、その目的は、撮影で取得した画像を表示した際に誰が写っている画像なのかを把握しやすくするコンピュータ装置、画像処理プログラム、及び印刷システムを提供することにある。
【課題を解決するための手段】
【０００７】
上記目的を達成するために、本発明のコンピュータ装置では、撮影で取得した撮影画像を記録メディアから読み出して画像表示部に表示するコンピュータ装置において、撮影画像から顔部分を検出する検出手段と、検出手段によって検出された顔部分を予め定められた画像サイズで抽出する抽出手段と、抽出手段で抽出された顔画像を画像表示部に複数並べて表示する表示制御手段とを有することを特徴とする。
【０００８】
また、抽出手段によって抽出された顔画像が印刷用シート上で複数並ぶように印刷するための印刷データを生成する印刷データ生成手段を設けたことを特徴とする。
【０００９】
また、印刷データ生成手段は、顔画像の基になった撮影画像に割り振られた識別番号と、撮影画像の印刷を注文する際にチェックマークを記入するための記入欄とがそれぞれの顔画像とともに印刷用シート上に印刷されるように印刷データを生成することを特徴とする。
【００１０】
また、表示制御手段は、顔画像の撮影画像全体に占める割合を示すシンボルを顔画像とともに画像表示部に表示することを特徴とする。
【００１１】
また、本発明の画像処理プログラムでは、撮影で取得された撮影画像を記録メディアから読み出してコンピュータ装置に備えられた画像表示部に表示する画像処理プログラムにおいて、前記撮影画像から顔部分を検出する検出処理と、検出処理によって検出された顔部分を予め定められた画像サイズで抽出する抽出処理と、抽出処理によって抽出された顔画像を画像表示部に複数並べて表示する表示制御処理と、を前記コンピュータ装置に実行させることを特徴とする。
【００１２】
また、コンピュータ装置には印刷データに基づいて印刷用シートに画像を印刷するプリンタが接続されており、抽出処理で抽出された顔画像が印刷シートに複数並べて印刷されるように印刷データを生成する印刷データ生成処理をコンピュータ装置に実行させることを特徴とする。
【００１３】
また、本発明の印刷システムでは、撮影で取得した撮影画像を基にして印刷データを形成するコンピュータ装置と、コンピュータ装置から入力される印刷データに基づいて印刷用シートに画像を印刷するプリンタとを有し、コンピュータ装置に、撮影画像から顔部分を検出する検出手段と、検出手段で検出された顔部分を予め定められた画像サイズで抽出する抽出手段と、抽出手段によって抽出された複数の顔画像を基にして印刷データを生成する印刷データ生成手段とを設け、プリンタは前記コンピュータ装置から入力される印刷データを基にして、顔画像を印刷用シート上に複数並べて印刷することを特徴とする。
【発明の効果】
【００１４】
本発明のコンピュータ装置によれば、撮影画像から顔部分を検出する検出手段と、検出手段によって検出された顔部分を予め定められた画像サイズで抽出する抽出手段と、抽出手段で抽出された顔画像を画像表示部に複数並べて表示する表示制御手段とを有することにより、撮影画像の顔部分を予め定められた画像サイズで画像表示部に表示するため、画像表示部に大きく顔画像を表示することが可能となり、これによって撮影画像に誰が写っているかを判別しやすくなり、より利便性の高いコンピュータ装置を提供することができる。
【００１５】
また、抽出手段によって抽出された顔画像が印刷用シート上で複数並ぶように印刷するための印刷データを生成する印刷データ生成手段を設けたことにより、抽出手段によって抽出された顔画像は印刷シート上に並べて印刷されるため、顔画像が印刷された印刷用シートを観察することで個々の撮影画像に誰が写っているかを確認しやすくなる。
【００１６】
また、印刷データ生成手段は、顔画像の基になった撮影画像に割り振られた識別番号と、撮影画像の印刷を注文する際にチェックマークを記入するための記入欄とがそれぞれの顔画像とともに印刷用シート上に印刷されるように印刷データを生成することにより、顔画像がどの撮影画像から抽出されたかを判定しやすく、さらに写真印刷の取り扱い店等に撮影画像の印刷を注文する場合、記入欄にチェックマークを記入することで写真印刷の注文が可能となるために利便性が高まる。
【００１７】
また、表示制御手段は、顔画像の撮影画像全体に占める割合を示すシンボルを顔画像とともに画像表示部に表示することにより、撮影画像の中で顔がどのくらいを占めるかをユーザに推測させることができ、これによってより利便性の高いコンピュータ装置を提供することができる。
【００１８】
また、本発明の画像処理プログラムによれば、前記撮影画像から顔部分を検出する検出処理と、検出処理によって検出された顔部分を予め定められた画像サイズで抽出する抽出処理と、抽出処理によって抽出された顔画像を画像表示部に複数並べて表示する表示制御処理と、を前記コンピュータ装置に実行させることにより、撮影画像に含まれた顔部分を所定サイズで画像表示部に複数並べて表示することができ、これによって撮影画像に誰が写っているかを判別しやすくなる。
【００１９】
また、コンピュータ装置には印刷データに基づいて印刷用シートに画像を印刷するプリンタが接続されており、抽出処理で抽出された顔画像が印刷シートに複数並べて印刷されるように印刷データを生成する印刷データ生成処理をコンピュータ装置に実行させることにより、印刷用シートに顔画像が複数並べて印刷されるため、印刷用シートを見たユーザは撮影画像に誰が写っているかを判別しやすくなる。
【００２０】
また本発明の印刷システムによれば、撮影で取得した撮影画像を基にして印刷データを形成するコンピュータ装置と、コンピュータ装置から入力される印刷データに基づいて印刷用シートに画像を印刷するプリンタとを有し、コンピュータ装置に、撮影画像から顔部分を検出する検出手段と、検出手段で検出された顔部分を予め定められた画像サイズで抽出する抽出手段と、抽出手段によって抽出された複数の顔画像を基にして印刷データを生成する印刷データ生成手段とを設け、プリンタは前記コンピュータ装置から入力される印刷データを基にして、顔画像を印刷用シート上に複数並べて印刷することにより、撮影画像に含まれる顔画像が印刷用シートに複数並ぶように印刷されるため、ユーザは撮影画像に誰が写っているかを確認しやすくなり、より利便性の高い印刷システムを提供することができる。
【発明を実施するための最良の形態】
【００２１】
図１に本発明の印刷システムの全体図を示す。印刷システム２はデジタルカメラ４、パーソナルコンピュータ（以降、パソコンと言う）５、プリンタ６とから構成されている。デジタルカメラ４ではシャッタボタン８の押圧に応じて被写体の撮影が開始されて画像データが形成され、画像データはデジタルカメラ４に装着された記録メディアに記録される。デジタルカメラ４には、データ通信用のＵＳＢケーブル９を接続するためのＵＳＢポート１０が備えられている。ＵＳＢケーブル９を介して記録メディアに記録された画像データを外部に出力することができる。
【００２２】
パソコン５は画像を表示する画像表示部１２、操作パネルや操作キー等が備えられた操作部１５とを有し、操作部１５にはＵＳＢケーブル９を差し込むためのＵＳＢポート（図示省略）が備えられている。操作部１５には操作性を向上させるためにマウス１６を接続することができるようになっている。ＵＳＢポートにＵＳＢケーブル９の一端が挿し込まれ、ＵＳＢケーブル９の他端がデジタルカメラ４に設けられたＵＳＢポート１０に挿し込まれることで、デジタルカメラ４と通信が可能となる。さらに操作部１５にはプリンタケーブル１９が接続されるプリンタポート（図示省略）が設けられている。
【００２３】
プリンタ６には印刷用紙（印刷用シート）等を載置するための給紙台２０が備えられ、その横には電源ボタン２２が備えられている。プリンタ６の背面にはプリンタケーブル１９を接続するための接続ポート（図示省略）が設けられており、パソコン５からのプリンタケーブル１９がプリンタ６の接続ポートに接続されることでパソコン５から送信される印刷データの受信ができるようになる。
【００２４】
図２にデジタルカメラ４のブロック図を示す。デジタルカメラ４には、レンズ鏡筒２５に含まれたモータの駆動を制御するモータコントローラ３０、画像信号の処理を行うアナログ処理回路３５、デジタルカメラ４全体の動作を制御するＣＰＵ３７、ＳＤＲＡＭ３９、各種信号を入出力するＩ／Ｏ制御回路４０、画質や画像サイズ等を調節する画像補正回路４１、所定の画質に間引処理する圧縮処理回路４３、記録メディア４７に画像データを記録するメディアコントローラ４５、液晶表示器４９に備えられた表示パネル１３の駆動を制御する表示制御部５０等が備えられている。
【００２５】
レンズ鏡筒２５によって保持された撮影レンズ５を通して被写体がＣＣＤイメージセンサ３２上に結像され、タイミングジェネレータ３３によって駆動が制御されるＣＣＤイメージセンサ３２上に結像された被写体像が画像信号に光電変換され、この画像信号がアナログ処理回路３５に入力される。アナログ処理回路３５ではＣＣＤイメージセンサ３２からの画像信号を基にＲＧＢのデジタルデータからなる画像データが形成される。この一連の動作はＣＰＵ３７によって制御されている。
【００２６】
静止画撮影モードにおいてシャッタボタン８が押下されると、Ｉ／Ｏ制御回路４０を介して信号がＣＰＵ３７に入力され、ＣＰＵ３７の命令に応答してアナログ処理回路３５から出力された画像データがＳＤＲＡＭ３９に蓄積される。ＳＤＲＡＭ３９に蓄積された画像データは画像補正回路４１に入力され、ここでガンマ補正、輪郭補正などの各種画像処理が行なわれ、画像処理が行なわれた画像データはＳＤＲＡＭ３９に一時的に記憶される。
【００２７】
ＳＤＲＡＭ３９に蓄積された画像データは圧縮処理回路４３に入力されて、所定の画質モードで圧縮される。圧縮処理された画像データはメディアコントローラ４５に入力されて、デジタルカメラ２に装着された記録メディア４７に記録される。なお、画像データはＪＰＥＧ（ Joint Photographic Experts Group ） の規格に準拠して圧縮され、圧縮された画像データは所定のフォーマット、例えば、ＤＣＦ（ Design rule for Camera File system）に則って、識別情報が付されて画像ファイルとして記録メディア４７に記録される。
【００２８】
図３にパソコン５の概略的なブロック図を示す。パソコン５には、中央演算部５０、ＲＡＭ５２、ハードディスク５４、表示制御部（表示制御手段）５８、情報読み取り装置６０、プリンタインターフェース（以降、プリンタＩ／Ｆと言う）６２、外部インターフェース（以降、外部Ｉ／Ｆと言う）６４、入力インターフェース（以降、入力Ｉ／Ｆと言う）６５、顔検出部（検出手段）６８、顔画像抽出部（抽出手段）７０、印刷データ生成部（印刷データ生成手段）７２等が備えられている。
【００２９】
外部Ｉ／Ｆ６４は、例えばＵＳＢ２．０規格に従って形成されており、この外部Ｉ／Ｆ６４にはＵＳＢケーブルが挿し込まれるＵＳＢポートが設けられている。このＵＳＢポートにデジタルカメラ４からのＵＳＢケーブル９が挿し込まれることで、デジタルカメラ４に装着された記録メディア４７からの画像ファイルの読み出しが可能となる。また、この外部インターフェース６４に記録メディア４７にアクセスして画像ファイルを読み出すカードリーダが接続された場合にも記録メディア４７から撮影画像が格納された画像ファイルを読み出すことが可能となる。
【００３０】
ハードディスク５４には、パソコン５を起動させるためのオペレーティングシステム、各種アプリケーションプログラム等のデータが記憶され、中央演算部５０ではこれらオペレーティングシステムやアプリケーションプログラムに従って各種動作を制御する。情報読み取り装置６０はＣＤ−ＲＯＭ等の記録媒体から様々なデータやプログラムを読み出すことが可能であり、この情報読み劣り装置６０を用いて各種プログラムを組み込むことができる。
【００３１】
ユーザがキーボード７３やマウス１６を操作すると入力Ｉ／Ｆ６５を介して中央演算部５０に操作信号が入力され、これに応じて中央演算部５０は各種命令を実行する。ＲＡＭ５２はデータやプログラムを一時的に記憶してスムーズに命令が実行されるようにしている。情報読み取り装置６０は、ＣＤ−ＲＯＭ等の記録媒体から情報を読み取る。
【００３２】
顔検出部６８では、ハードディスク５４から読み出された顔検出プログラムに従って撮影画像から顔部分を検出する。撮影画像から顔部分を検出する際には、撮影画像が、予め用意された顔パターン画像と照合され、撮影画像の中から顔パターン画像と類似している部分が検出される。顔パターン画像と類似しているか否かは濃度データ等の画像の特徴情報を基に判断され、顔パターン画像と類似している部分の位置情報が顔画像抽出部７０に入力される。また、顔部分が検出されると、検出された顔部分が撮影画像全体に対してどれくらいの割合を占めるかを示すレート情報が算出される。
【００３３】
顔画像抽出部７０では、顔検出部６８から入力される位置情報を基に、顔パターン画像と類似している部分を含む四角形領域が撮影画像から抽出される。顔画像抽出部７０には圧縮／伸張回路７０ａが設けられており、抽出処理された四角形領域の画像が所定のサイズに圧縮処理、または伸張処理されて顔画像が形成される。顔画像データは顔検出部６８で検出されたレート情報とともに撮影画像が格納される画像ファイルに格納される。
【００３４】
画像表示部１２は、ユーザの操作に応じて各種画像を表示する。撮影画像を観察するために画像処理プログラムを起動させると、画像表示部１２にはメニューパネル９０（図５参照）や表示アイコン９２（図５参照）等が表示される。メニューパネル９０には、撮影画像を電子メールで送信するメニュー、撮影画像を印刷するメニュー、撮影画像を加工するメニューなどがあり、表示アイコン９２には複数の表示モードが選択可能に設けられている。表示アイコン９２の中から撮影画像に含まれる顔部分を所定のサイズで抽出して複数並べて表示するインデックス表示モードが選択されると、それぞれの撮影画像のファイルに格納された撮影画像から顔部分を検出し、検出された顔部分を基に形成された顔画像が所定の数、例えば６つ画像表示部１２に並べて表示される。顔画像が画像表示部１２に表示される際には、レート情報に基づいて顔部分の撮影画像全体に占める割合が数値として表示され、さらに画像ファイルに割り当てられた識別番号も表示される。また、メニューパネル９０から撮影画像を印刷するメニューが選択されると、印刷枚数を入力するための印刷枚数入力欄がそれぞれの顔画像に対応して表示される。
【００３５】
印刷データ生成部７２は、それぞれの画像ファイルに格納された画像データや、顔画像データを基にして印刷データを生成する。印刷データはプリンタを設定するための設定データと、印刷用紙にイメージを描画するための印刷内容データとから構成されており、印刷内容データは画像データや顔画像データを基に形成される。設定データには、印刷サイズ、カラープリントの有無、画質モード、印刷方向等の情報が含まれ、これらはユーザの操作に応じて形成される。例えば、メニューパネル９０から撮影画像を印刷するメニューが選択されると、ユーザによって入力された印刷枚数を基に設定データが形成され、ユーザによって選択された撮影画像の画像データを基に印刷内容データが形成される。顔画像を複数並べて印刷用紙に印刷するインデックスプリントを行う場合には、それぞれの画像ファイルから読み出された顔画像データを基に印刷内容データが形成される。
【００３６】
プリンタＩ／Ｆ６２にはプリンタケーブル１９が嵌め込まれるプリンタケーブル接続ポート（図示省略）が備えられており、パソコン５からのプリンタケーブル１９がプリンタケーブル接続ポートに接続されることにより、プリンタケーブル１９を介してパソコン５からプリンタ６に印刷データを送信することが可能となる。
【００３７】
図４にプリンタ６の概略的なブロック図を示す。プリンタ６には、電源ボタン２２、電源制御部７５、通信インターフェース（以降、通信Ｉ／Ｆと言う）７６、圧縮／伸張エンジン７８、バッファメモリ８０、プリントエンジン８３、中央制御部８５等が備えられている。電源ボタン２２が押圧されるとこれに応じて電源制御部７５によってプリンタの各部に電力が供給される。
【００３８】
通信Ｉ／Ｆ７６にはプリンタケーブル１９が接続される接続ポートが形成されており、この接続ポートに接続されたプリンタケーブル１９を介してパソコン５からの印刷データを受信する。通信Ｉ／Ｆ７６で受信された印刷データはバッファメモリ８０に一時的に蓄積され、スムーズに印刷データの入力が行えるようになっている。バッファメモリ８０に一時的に蓄積された印刷データは圧縮／伸張エンジン７８に入力される。
【００３９】
圧縮／伸張エンジン７８では印刷データに含まれる設定データに基づいて印刷内容データを圧縮処理、または伸張処理する。圧縮処理または伸張処理された後、印刷データはプリントエンジン８３に入力される。
【００４０】
プリントエンジン８３にはデータ変換部、フレームバッファ、印刷部とが含まれており、これらは中央制御部８５によって動作が制御されている。データ変換部では、印刷データに含まれる印刷内容データをラスタ形式のイメージデータに変換する。ラスタ形式のイメージデータはフレームバッファに展開された後に印刷部に入力され、印刷部はイメージデータに基づいて、給紙台２０に予めセットされた印刷用紙に画像を印刷する。
【００４１】
図５に、インデックス表示モードが選択されて顔画像が並べて表示された画像表示部１２を正面から観察した平面図を示す。撮影画像を観察するため、画像処理プログラムを起動させると、画像表示部１２には各種メニューが並んだメニューパネル９０、画像表示部１２に撮影画像をどのような態様で表示するかを指定する表示アイコン９２等が表示される。表示アイコン９２によって示される表示態様としては、撮影画像を一定サイズに圧縮して表示するサムネイル表示モード、撮影画像を画像表示部１２上に１つずつ大きく表示するプレビュー表示モード、撮影画像についての詳しい情報を表示する詳細表示モード、撮影画像に含まれる顔を検出して一覧表示するインデックス表示モードの４つが用意されており、ユーザはこの中から好みの表示モードを選んで画像表示部１２に撮影画像を表示させる。
【００４２】
ユーザによってインデックス表示モードが選択されると、それぞれの画像ファイル内に格納された顔画像データやレート情報、それぞれの画像ファイルに割り当てられた識別情報が読み出され、画像表示部１２には、顔画像の画像全体に占める割合を示す顔サイズ、及び識別番号９３が顔画像９４とともにそれぞれ６つ並べて表示される。１つの撮影画像に２つの顔が検出された場合には、同じ識別番号が顔画像の下に表示され、撮影画像から顔部分が検出されなかった場合には、その画像ファイルの顔画像及び識別番号は省略される。画像表示部１２に表示された顔画像を次の６つの顔画像に切り替えたい場合には、次画面へ移行するための送りアイコン９５をクリックする。
【００４３】
メニューパネル９０には顔画像の基となった撮影画像を印刷するためのプリントメニューが用意されており、メニューパネル９０からプリントメニューが選択されると、図６に示すように、画像表示部１２には印刷枚数を入力するための印刷枚数入力欄９７と、顔画像の基となった撮影画像を印刷するか否かを指定するためのプリントアイコン９９とが表示される。プリントアイコン９９がクリックされるごとに印刷するか否かが切り替わり、印刷しない場合にはプリントアイコン９９がバツ印となって顔画像に斜線が引かれる。印刷枚数入力欄９７に入力された印刷枚数に基づいて印刷データ生成部７２で設定データが形成される。印刷データ生成部７２で形成された印刷データはプリンタ６に送信され、印刷枚数入力欄９７に入力された枚数の撮影画像が印刷される。
【００４４】
メニューパネル９０には顔画像を並べて一枚の印刷用紙に印刷するインデックスプリントメニューが設けられており、インデックスプリントメニューが選択されると、画像表示部１２には各画像ファイルから読み出された顔画像が並べられた仮想画面が表示され、出来上がりがユーザに予め告知される。仮想画面を見たユーザによってインデックスプリントが許可されると、画像表示部１２に表示入力された顔画像データを基に形成された印刷データがプリンタ６に入力され、仮想画面に表示されたように複数の顔画像がプリンタ６によって１枚の印刷用紙に並べて印刷される。
【００４５】
メニューパネル９０には、インデックスプリントメニューの他に、写真印刷を取り扱う店に写真印刷の注文を簡単に行える注文用インデックスプリントシートの印刷メニューが設けられている。図７に示すように、メニューパネル９０から注文用インデックスプリントシートの印刷が選択されると、画像表示部１２には、顔画像、顔画像の画像全体に占める割合を示す顔サイズ、及び識別番号のほかに、印刷注文をするか否かを示すためのチェックボックス１１０が示される。ユーザによって注文用インデックスプリントシートの印刷が許可されると、１枚の印刷用紙に顔画像、識別番号、チェックボックス等を印刷するための印刷データがプリンタ６に送信される。印刷データが入力されたプリンタ６は、印刷用紙に顔画像、識別番号、印刷注文用のチェックボックスを印刷して注文用インデックスプリントシートを形成する。ユーザはこの注文用インデックスプリントシートの中から顔画像に対応して設けられたチェックボックスにチェックマークを書き込んで写真印刷を取り扱う店まで持っていき、記録メディア４７ととも注文用インデックスプリントシートを渡すことで簡便に撮影画像の印刷を依頼することができる。
【００４６】
上記構成の作用について図８のフローチャートを用いて説明する。デジタルカメラ４に装着された記録メディア４７に記録された画像ファイルをパソコン５上に保存する。記録メディア４７に記録された画像ファイルをパソコン５に移す際は、デジタルカメラ４とパソコン５とをＵＳＢケーブル９で接続する、もしくはパソコン５に接続されたカードリーダに記録メディア４７を装着することで、記録メディア４７に記録された画像ファイルを読み出すことができる。
【００４７】
パソコン５に組み込まれている画像処理プログラムが起動されると、パソコン５に備えられた画像表示部１２には、画像ファイル内の画像データを基にして、様々な態様での撮影画像の表示が可能となる。例えば、それぞれの画像ファイルに格納された画像を一様に圧縮し、圧縮処理された画像を画像表示部１２に並べて表示するサムネイル表示モード、それぞれの画像ファイルに格納された画像のうち、ユーザに選択された１つの画像を画像表示部１２に大きく表示し、他の画像を小さく表示するプレビュー表示モード、画像ファイルのデータサイズ等の情報を表示する詳細表示モード、各画像ファイルに格納された画像から顔を検出し、検出された顔の部分を一定サイズに調整した顔画像を画像表示部１２に並べて表示するインデックス表示モードの中から好みの表示態様を選択することができる。なお、画像処理プログラムは情報読み取り装置６０を用いてＣＤ−ＲＯＭ等の記憶媒体から予めインストールしておく。
【００４８】
撮影で取得した撮影画像を画像表示部１２に表示する際、インデックス表示モードが選択されると、撮影画像を基にして顔検出部６８で顔部分が検出され、顔検出部６８で検出された顔部分を基にして一定サイズに調整された顔画像が顔画像抽出部７０で抽出処理される。抽出処理された顔画像は、顔画像の元となった撮影画像が格納された画像ファイルの識別番号や、顔部分の画像全体に対する割合を示す顔サイズとともに画像表示部１２に並べて６つ表示される。なお画像表示部１２に表示する顔の個数は６つに限らず、適宜変更して構わない。
【００４９】
メニューパネル９０からプリントメニューが選択される、あるいは画像表示部１２に表示されたファイルメニューから印刷メニューが選択されると、それぞれの顔画像に対応して印刷枚数を入力するための入力欄９７が画像表示部１２に表示され、印刷の指示がなされると入力欄９７に入力された枚数を基に設定データが形成され、設定データは画像データを基に形成された印刷内容データとともにプリンタ６に送信される。
【００５０】
印刷データを受けたプリンタ６では、設定データを基に、色調、画質、用紙サイズ等の設定を行い、印刷内容データを基にしてプリントエンジン８３で撮影画像が印刷される。撮影画像は入力欄９７に入力された印刷枚数だけ印刷用紙に印刷される。
【００５１】
メニューパネル９０からインデックスプリントが選択されると顔画像を形成する画像データ等を基に形成された印刷データがプリンタ６に入力され、プリンタ６は印刷用紙に複数の顔画像を並べて印刷する。なお、このとき、顔画像とともに識別番号や顔サイズを印刷するか否かはユーザの設定操作に応じて決められる。
【００５２】
メニューパネル９０から注文用インデックスプリントシートの印刷メニューが選択されると、顔画像とともに印刷注文用のチェックボックス１１０が印刷用紙に印刷される。ユーザはこの注文用インデックスプリントシートの顔画像を見ながらどの画像を印刷するかを決め、印刷注文する場合には、顔画像に対応して印刷されたチェックボックスにチェックマークを記入する。注文用インデックスプリントシートは撮影画像が記録された記録メディア４７とともに写真印刷の取り扱い店に渡すことでチェックボックスにチェックマークが記入された撮影画像の印刷を依頼することができる。
【００５３】
なお、上記の実施形態では顔部分の撮影画像全体に対する割合を示す顔サイズは数字で表示したが、この顔サイズは他のシンボルで表示しても構わない。図９に示すように、インデックス表示モードが選択された場合、画像表示に顔画像とともに、顔画像の画像全体に対する割合を示したシンボルを画像表示部に表示する。例えば、顔部分が画像全体の３５パーセント以上を占める場合には顔のシンボル１２０が表示され、顔部分が画像全体の２０パーセント以上であって３５パーセント未満である場合には上半身のシンボル１２２が表示され、顔部分が画像全体の２０パーセント未満である場合には全身のシンボル１２４が表示される。このようにして顔画像の画像全体に占める割合を表示しても構わない。このようなシンボルを用いて顔画像のサイズが撮影画像のうちどれくらいの割合を占めるかを示すことで、興趣が高められるとともにどのような撮影画像かをある程度ユーザに察知させることができる。
【００５４】
また、上記の実施形態では顔画像を印刷用紙に印刷したが、印刷シートはこれに限らない。例えば、台紙から剥離可能な離型紙が用いられた印刷用シートに顔画像を印刷してもよい。離型紙が用いられた印刷用シートにはインデックスプリントに合わせて予め複数の離型紙が配置されており、接着層が形成された離型紙の裏面は台紙によって覆われている。メニューパネル９０からインデックスプリントを選択して離型紙に顔画像を印刷する。このように離型紙に顔画像を印刷することで、顔画像が印刷された離型紙を自在に貼り付けて遊ぶことができ、印刷操作に面白みを持たせることができる。
【図面の簡単な説明】
【００５５】
【図１】印刷システム全体を概略的に示す概念図である。
【図２】デジタルカメラの電気的な構成を概略的に示したブロック図である。
【図３】パソコンの電気的な構成を概略的に示したブロック図である。
【図４】プリンタの電気的な構造を概略的にしめしたブロック図である。
【図５】インデックス表示モードが選択された場合の画像表示部を正面から観察した平面図である。
【図６】インデックス表示モードでプリントメニューがメニューパネルから選択された場合の画像表示部を正面から観察した平面図である
【図７】注文用インデックスプリントが選択された場合の画像表示部を正面から観察した平面図である。
【図８】本発明の印刷システムの作用について説明するフローチャートである。
【図９】顔画像の撮影画像に対する割合がシンボルで表示された画像表示部を正面から観察した平面図である。
【符号の説明】
【００５６】
２  印刷システム
４  デジタルカメラ（撮影装置）
５  パーソナルコンピュータ（コンピュータ装置）
６  プリンタ
１２  画像表示部
４７記録メディア
５０  中央演算部
５８  表示制御部（表示制御手段）
６８  顔検出部（検出手段）
７０  顔画像抽出部（抽出手段）
７２  印刷データ生成部（印刷データ生成手段）
８３  プリントエンジン
８５  中央制御部
【図１】
2006042035.tif 000003
【図２】
2006042035.tif 000004
【図３】
2006042035.tif 000005
【図４】
2006042035.tif 000006
【図５】
2006042035.tif 000007
【図６】
2006042035.tif 000008
【図７】
2006042035.tif 000009
【図８】
2006042035.tif 000010
【図９】
2006042035.tif 000011